(57)【要約】【課題】ベッドへ被介護者を載せ替える作業の介護者の負担を軽減すると共に載せ替え作業に要する煩わしい段取りも簡単な車椅子を提供すること。【解決手段】車椅子１を移動させてベッドＢＤに沿わせ、アームレスト５を邪魔にならないようにして、足載せ部２１を使用位置から略水平位置へと移動させる。次に、被介護者が座部５２に座ったままの状態で、介護者は前方第２スライドレール４５及び後方第２スライドレール４０の固定側レールに沿って可動側レールをベッドＢＤ方向へ移動させて、初めに第２スライダー５０をベッドＢＤ上へ引き出して任意の位置まで移動させる。次に、座部５２を掴んで引き出して前方第１スライドレール４３及び後方第１スライドレール３８の固定側レールに沿って、それらの可動側レールを移動させることにより座部５２を任意の位置まで移動させる。そして、被介護者を右向きに寝かせるようにして、ベッドＢＤ上に載せ替える。【選択図】図１
2020168216.tif 000002
【特許請求の範囲】
【請求項１】
被介護者が自身で走行したり、介護者の補助により走行できる車椅子において、
被介護者の足を載せる足載せ部を使用位置から被介護者のベッドへの載せ替えの前に略水平位置に搖動させる移動機構と、
被介護者が座る座部を構成するクッションの下面に固定されると共に前記ベッドへの載せ替えのために被介護者が前記座部の前記クッションに座ったまま第１案内レールによりベッド方向に引き出し可能な第１スライダーと、
この第１スライダーの下方に配設され第２案内レールにより前記ベッド方向に引き出し可能で前記第１スライダーの引き出し前に引き出される第２スライダーとを設けたことを特徴とする車椅子。
【請求項２】
被介護者が自身で走行したり、介護者の補助により走行できる車椅子において、
被介護者が座るクッションの下面に第１スライダーを固定して座部を構成して、
前記第１スライダー下面の前後部に一対の互いに平行な第１スライドレールの各可動側レールをそれぞれ固定すると共に各固定側レールをそれぞれ車体に固定し、
前記第１スライダーの下方に配置される第２スライダーの前後部に一対の互いに平行で且つ前記第１スライドレールと平行な第２スライドレールの各可動側レールをそれぞれ固定すると共に各固定側レールをそれぞれ前記車体に固定し、
被介護者の足を載せる足載せ部を使用位置から略水平位置に搖動させる移動機構を設け、
前記座部に座っている被介護者をベッドに載せ替える際に、被介護者の腕などを載せるためのアームレストを被介護者のベッドへの載せ替えの際に邪魔とならないようにし且つ前記移動機構により前記足載せ部を略水平位置に搖動した状態において、前記第２スライダーを前記第２スライドレールにより引き出して前記ベッド上に移動させ、次いで前記クッションに座ったままの状態で前記座部を前記第１スライドレールにより引き出して前記ベッド上に移動させ、被介護者を前記ベッドに載せ替える
ことを特徴とする車椅子。
【請求項３】
前記移動機構を手動又は自動により回動するウォームギアと噛み合うウォームホイールの第１支軸が固定された第１リンク体と、この第１リンク体と第２支軸を介して回動可能に連結した第２リンク体と、一端が前記第２リンク体と第３支軸を介して回動可能に連結すると共に他端が第４支軸に固定した第３リンク体とから構成し、
前記車体に設けた軸受けで前記第４支軸を回動可能に支持し、前記足載せ部の連結フレームを前記第４支軸に固定したことを特徴とする請求項１又は２に記載の車椅子。
【発明の詳細な説明】
【技術分野】
【０００１】
本発明は、被介護者が自身で走行したり、介護者の補助により走行できる車椅子に関するものである。
【背景技術】
【０００２】
一般に、特に重度の寝たきり被介護者を車椅子からベッドに載せ替える場合には、介護者が被介護者を抱えたり、支えることにより、載せ替え作業を行うのが通常である。しかしながら、このような載せ替え作業は、介護者にとってかなりの力仕事であって、負担が大きかった。
【０００３】
このため、例えば特許文献１に開示するような技術が提案された。即ち、被介護者搬送用車両に、ベッドへ被介護者を載せ替えるための移乗用台車を取付け取り外しができるようにして、被介護者を搬送する際には前記被介護者搬送用車両と前記移乗用台車とを一体化させ、ベッドへ被介護者を載せ替える際には前記被介護者搬送用車両から前記移乗用台車を分離させるようにする技術が提案された。
【先行技術文献】
【特許文献】
【０００４】
【特許文献１】特開２０００−１６６９７７号公報
【発明の概要】
【発明が解決しようとする課題】
【０００５】
しかしながら、前記被介護者搬送用車両の他に、前記移乗用台車を設ける必要があり、両者の取付け又は取り外しをしなければならず、甚だ面倒であって、構造も複雑で、実用向きではない。
【０００６】
そこで本発明は、上記問題点に鑑み、ベッドへ被介護者を載せ替える作業の介護者の負担を軽減すると共に、その載せ替え作業に要する煩わしい段取りも簡単であって、実用的な車椅子を提供することを目的とする。
【課題を解決するための手段】
【０００７】
このため第１の発明は、被介護者が自身で走行したり、介護者の補助により走行できる車椅子において、
被介護者の足を載せる足載せ部を使用位置から被介護者のベッドへの載せ替えの前に略水平位置に搖動させる移動機構と、
被介護者が座る座部を構成するクッションの下面に固定されると共に前記ベッドへの載せ替えのために被介護者が前記座部の前記クッションに座ったまま第１案内レールによりベッド方向に引き出し可能な第１スライダーと、
この第１スライダーの下方に配設され第２案内レールにより前記ベッド方向に引き出し可能で前記第１スライダーの引き出し前に引き出される第２スライダーとを設けたことを特徴とする。
【０００８】
また第２の発明は、被介護者が自身で走行したり、介護者の補助により走行できる車椅子において、
被介護者が座るクッションの下面に第１スライダーを固定して座部を構成して、
前記第１スライダー下面の前後部に一対の互いに平行な第１スライドレールの各可動側レールをそれぞれ固定すると共に各固定側レールをそれぞれ車体に固定し、
前記第１スライダーの下方に配置される第２スライダーの前後部に一対の互いに平行で且つ前記第１スライドレールと平行な第２スライドレールの各可動側レールをそれぞれ固定すると共に各固定側レールをそれぞれ前記車体に固定し、
被介護者の足を載せる足載せ部を使用位置から略水平位置に搖動させる移動機構を設け、
前記座部に座っている被介護者をベッドに載せ替える際に、被介護者の腕などを載せるためのアームレストを被介護者のベッドへの載せ替えの際に邪魔とならないようにし且つ前記移動機構により前記足載せ部を略水平位置に搖動した状態において、前記第２スライダーを前記第２スライドレールにより引き出して前記ベッド上に移動させ、次いで前記クッションに座ったままの状態で前記座部を前記第１スライドレールにより引き出して前記ベッド上に移動させ、被介護者を前記ベッドに載せ替える
ことを特徴とする。
【０００９】
更に第３の発明は、第１又は第２の発明において、前記移動機構を手動又は自動により回動するウォームギアと噛み合うウォームホイールの第１支軸が固定された第１リンク体と、この第１リンク体と第２支軸を介して回動可能に連結した第２リンク体と、一端が前記第２リンク体と第３支軸を介して回動可能に連結すると共に他端が第４支軸に固定した第３リンク体とから構成し、
前記車体に設けた軸受けで前記第４支軸を回動可能に支持し、前記足載せ部の連結フレームを前記第４支軸に固定したことを特徴とする。
【発明の効果】
【００１０】
本発明は、ベッドへ被介護者を載せ替える作業の介護者の負担を軽減すると共に、その載せ替え作業に要する煩わしい段取りも簡単であって、実用的な車椅子を提供することができる。
【図面の簡単な説明】
【００１１】
【図１】通常の状態の車椅子の右側面図である。
【図２】通常の状態の車椅子の正面図である。
【図３】通常の状態の車椅子の平面図である。
【図４】抜け止めピンを抜いた状態のロック機構の右側面図である。
【図５】同じく抜け止めピンを抜いた状態のロック機構の平面図である。
【図６】移動機構を示す拡大図である。
【図７】第２スライダーを引き出した状態の車椅子の平面図である。
【図８】第２スライダーを引き出した状態の車椅子の正面図である。
【図９】第１スライダーを引き出した状態の車椅子の平面図である。
【図１０】第１スライダーを引き出した状態の車椅子の正面図である。
【図１１】他の実施形態の移動機構の拡大図である。
【発明を実施するための形態】
【００１２】
以下、被介護者が自身で走行したり、介護者の補助により走行できる車椅子１の本発明の実施の形態について説明する。図１は通常の状態の車椅子１の右側面図、図２は同じく通常の状態の車椅子１の正面図、図３は同じく通常の状態の車椅子１の平面図である。先ず、図２が前記車椅子１の正面図であり、以後の説明で方向を示すときは、正面から前記車椅子１に向かっての方向であり、特別な説明をした場合を除き、そのように、解釈すべきものとして、以下説明する。
【００１３】
この図１、図２及び図３において、前記車椅子１は複数の連結具を介して連結組み立てられて車体側部を形成する左右一対の第１フレーム２と、左右一対の前記第１フレーム２同士を連結するための複数の第２フレーム３を有する。主として、これらの第１フレーム２及び第２フレーム３とで前記車椅子１の車体を構成する。
【００１４】
そして、左右の各第１フレーム２の上部には、アームレスト５が設けられる。このアームレスト５は被介護者の腕などを載せるためのアームレスト本体５Ａと、側面視コ字形状を呈して前記アームレスト本体５Ａがその横杆５Ｂ３に取り付けられる断面が円柱状を呈するアームレストフレーム５Ｂとで構成される。
【００１５】
そして、前記アームレストフレーム５Ｂの後方の縦杆５Ｂ１は前記第１フレーム２のＬ字形状を呈する支持体２Ｄ１の連結部２Ａの挿入孔に上方から緩やかに挿入し、前方の縦杆５Ｂ２はＴ字形状を呈する支持体２Ｄ２に設けられたロック機構４により抜け止め保持されている。そして、前記ロック機構４を解除することにより、前方の縦杆５Ｂ２は移動が可能となり、後方の縦杆５Ｂ１を支点として前記アームレストフレーム５Ｂを搖動させることができることとなる。この場合、左右の前記アームレスト５のうち、少なくとも左右のいずれか前方の前記縦杆５Ｂ２を搖動させることにより、被介護者の右手側からか左手側から前記ベッドＢＤに載せ替えることができる。
【００１６】
次に、図４及び図５に基づいて、前記支持体２Ｄ２に設けられた前記ロック機構４について説明する。先ず、前方の前記縦杆５Ｂ２の下部には小径部５Ｂ２１より大径の大径部５Ｂ２２が設けられている。そして、固定筒部８が内部に固定されたロック体７には、前記車椅子１の座席側から前記縦杆５Ｂ２の前記大径部５Ｂ２２が挿入できる大径溝７Ａと同じく座席側から前記小径部５Ｂ２１が挿入できる小径溝（前記大径溝７Ａに連通している。）７Ｂとが形成される。
【００１７】
また、前記固定筒部８内に前記支持体２Ｄ２の横杆２ＤＡ２を圧入して、前記支持体２Ｄ２に前記ロック体７が固定され、前記前方の縦杆５Ｂ２を前記大径溝７Ａ及び前記小径溝７Ｂ内に挿入して、前進限に到達した状態の前記前方の縦杆５Ｂ２が前記大径溝７Ａ及び前記小径溝７Ｂから抜けないように、前後方向に開設した嵌入孔７Ｃ内に抜け止めピン９を嵌入することにより、前記前方の縦杆５Ｂ２が抜け止めされる。
【００１８】
即ち、この抜け止めピン９を前記嵌入孔７Ｃ内に嵌入させると、前記前方の縦杆５Ｂ２の移動を規制して、前記前方の縦杆５Ｂ２の前記大径部５Ｂ２２が前記大径溝７Ａから及び前記小径部５Ｂ２１が前記小径溝７Ｂから抜けないようになる。
【００１９】
また、この抜け止めピン９を前記嵌入孔７Ｃから抜くと、前記大径溝７Ａ及び前記小径溝７Ｂから前記前方の縦杆５Ｂ２の前記大径部５Ｂ２２及び前記小径部５Ｂ２１が外れるので、前述したように、前記ロック機構４が解除され、前記前方の縦杆５Ｂ２は移動が可能となり、前記後方の縦杆５Ｂ２を支点として前記アームレスト５（前記アームレストフレーム５Ｂ）を搖動させることができることとなる。
【００２０】
なお、被介護者のベッドＢＤへの載せ替え作業の障害とならないように、以上のように、後方の前記縦杆５Ｂ１を支点として前記アームレストフレーム５Ｂを搖動させて移動させるようにする構造に限らず、両縦杆５Ｂ１、５Ｂ２を車体から抜いて、前記アームレスト５を前記車椅子１から取り外すような構造にしてもよい。
【００２１】
前記各第１フレーム２の車体後方上部には、縦杆１０Ａと横杆１０Ｂ１、１０Ｂ２とからなる第４フレーム１０が設けられ、前記各縦杆１０Ａは前記第１フレーム２の縦杆２Ｂ１に立設し、左右の縦杆１０Ａ間に前記横杆１０Ｂ１、１０Ｂ２が橋架されて固定されている。そして、表側に弾力性があるクッション１１Ａが取付けられた取付け板１１Ｂが前記第４フレーム１０の前記横杆１０Ｂ１、１０Ｂ２に取付けられ、背もたれ部１１が形成される。
【００２２】
そして、前記第４フレーム１０の上端部には前記車椅子１を移動させる際に前記介護者が握るハンドル１３が形成され、また介護者がブレーキの際に操作するブレーキ操作部１４が取付けられている。
【００２３】
そして、各第１フレーム２の後下部には、前記縦杆２Ｂ１と下の横杆２Ｃ１との連結部において支軸１５を介して後輪１６がそれぞれ回転可能に支持され取り付けられている。なお、前記後輪１６の外側には、手動輪１７が前記後輪１６と一体的に設けられ、被介護者は前記手動輪１７を操作することにより、走行、停止、方向変換などができる。
【００２４】
また、左右の各第１フレーム２の前下部には、前記第１フレーム２の前方の縦杆２Ｂ２の下部に連結した補助フレーム１８に設けられた支軸１９に回転可能に支持された外径の小さな前輪２０がそれぞれ取り付けられている。
【００２５】
また、前記第２フレーム３の横杆３Ａは第４支軸としての役割を有し、この横杆３Ａは前記第１フレーム２の前記縦杆２Ｂ２に固定された連結軸受け３Ｂに回動可能に支持されている。
【００２６】
２１は被介護者が両足を載せて支持する足載せ部で、被介護者の両足を載せる足載せ部本体２１Ａ（図２においては、左右の中央部が破断されている。）と、この足載せ部本体２１Ａが上部に取付けられた取付けフレーム２１Ｂと、一端側が前記取付けフレーム２１Ｂに連結軸２１Ｃを介して連結されると共に他端側が連結部材２３を介して前記横杆３Ａに固定される連結フレーム２１Ｄとから構成される。
【００２７】
そして、前記取付けフレーム２１Ｂは前記連結軸２１Ｃに固定されると共に前記連結フレーム２１Ｄの一端は前記連結軸２１Ｃに固定される。また、前記連結フレーム２１Ｄの他端は前記第２フレーム３の前記横杆３Ａに固定され、前述したように、第４支軸としての前記横杆３Ａは前記連結軸受け３Ｂに回動可能に支持されているため、この横杆３Ａの回動と共に前記連結フレーム２１Ｄ及び前記取付けフレーム２１Ｂは搖動して、前記足載せ部２１は後述する移動機構２４により使用位置と略水平位置との間で搖動可能となる。
【００２８】
前記足載せ部２１を搖動させるために、前記横杆３Ａを回動させる移動機構２４について、図６に基づき詳述する。２５は操作摘み２６を備えた回転体で、前記操作摘み２６を掴んで時計方向又は反時計方向に回転させると、前記補助フレーム１８に固定された支持体３５に回転可能に支持された支軸２７と共にウォームギア２８が回転するので、前記支持体３５に回動可能に支持されて前記ウォームギア２８と噛み合うウォームホイール２９が回転する。このウォームホイール２９が回転すると、その第１支軸２９Ａが固定された第１リンク体３０が搖動し、この第１リンク体３０が搖動すると第２支軸３１を介して回転可能に連結した第２リンク体３２が搖動し、この第２リンク体３２が搖動すると第３支軸３３を介して第３リンク体３４が搖動する。更に、この第３リンク体３４が搖動すると、この第３リンク体３４に固定された前記横杆３Ａが前記連結軸受け３Ｂに支持されて回転し、連結部材２３を介して前記横杆３Ａに固定された前記連結フレーム２１Ｄ、前記取付けフレーム２１Ｂ及び前記足載せ部本体２１が搖動する。即ち、前記移動機構２４が前記横杆３Ａを回動させることにより、前記足載せ部２１は前記移動機構２４により搖動する。
【００２９】
そして、各第１フレーム２の横杆２Ｃ２と前記縦杆２Ｂ１とに連結結合した左右の前記支持体２Ｄ１上面に跨って配設されて左右に延びた取付体３７に後方第１スライドレール３８の固定側レール３８Ａが固定される。また、左右の前記支持体２Ｄ１の側面に跨って配設されたＬ字形状の取付体３９に後方第２スライドレール４０の固定側レール４０Ａが固定される。前記後方第１スライドレール３８及び前記後方第２スライドレール４０は、その長手方向が左右方向に延びている。
【００３０】
更には、各第１フレーム２の前記横杆２Ｃ２と前記縦杆２Ｂ２とに連結結合した左右の前記支持体２Ｄ２上面に跨って配設されて左右に延びた取付体４２に前方第１スライドレール４３の固定側レール４３Ａが固定される。また、左右の前記支持体２Ｄ２の側面に跨って配設されたＬ字形状の取付体４４に前方第２スライドレール４５の固定側レール４５Ａが固定される。前記前方第１スライドレール４３及び前記前方第２スライドレール４５は、その長手方向が左右方向に延びている。
【００３１】
また、前記前方第２スライドレール４５と前記後方第２スライドレール４０とは対向するように平行に配設され、前記前方第１スライドレール４３と前記後方第１スライドレール３８とは対向するように平行に配設され、全てのスライドレール４５、４０、４３、３８は互いに平行である。そして、前記前方第１スライドレール４３と前記後方第１スライドレール３８とで第１案内レールを構成し、前記前方第２スライドレール４５と前記後方第２スライドレール４０とで第２案内レールを構成するが、これらの第１案内レール及び第２案内レールは上述したようなスライドレールに限らず、種々の構造が考えられる。
【００３２】
また、左右の前記支持体２Ｄ１間や２Ｄ２間の距離と同じ長さを有するＬ字形状の取付体４７に後方第２スライドレール４０の可動側レール４０Ｂが固定される。他方、左右の前記支持体２Ｄ１間や２Ｄ２間の距離と同じ長さのＬ字形状の取付体４８に前方第２スライドレール４５の可動側レール４５Ｂが固定される。
【００３３】
そして、前後の前記取付体４７と４８とに跨って、両者を連結するように第２スライダー５０が固定される。即ち、この第２スライダー５０の前後部には左右に亘って低い部分と、同じく左右に亘って前記低い部分と段差を有する高い部分とを有し、前後の前記低い部分の上面がそれぞれ前記取付体４７、４８の下面に固定され、前記高い部分は前記取付体４７、４８の上面と同じ面一となる。この第２スライダー５０の左右の長さは、左右の前記支持体２Ｄ１間の距離や、同じく左右の前記支持体２Ｄ２間の距離と略同じ長さを有する。
【００３４】
また、前記前方第１スライドレール４３の可動側レール４３Ｂと前記後方第１スライドレール３８の可動側レール３８Ｂとが、第１スライダー５１の下面に固定される。即ち、この第１スライダー５１の左右の長さが左右の前記支持体２Ｄ１間の距離や、２Ｄ２間の距離と略同じ長さを有する。更には、前記第１スライダー５１の前後長さは、前記前方第１スライドレール４３と前記後方第１スライドレール３８との間の距離より長い長さを有する。
【００３５】
なお、下の前記第２スライダー５０の左右の端部に近い部位には、それぞれ下面に凹部を形成して、介護者が下の前記第２スライダー５０のみを左又は右方向へ（前記ベッドＢＤ方向へ）引き出す際の手掛け部を構成する。また、下の前記第２スライダー５０の左右方向の長さが前記第１スライダー５１の左右方向の長さより少し長いため、前記第２スライダー５０及び前記第１スライダー５１が停止している状態において、下の前記第２スライダー５０のみを左又は右方向へ引き出す際に、引き出し易くしている。
【００３６】
なお、前記前方第２スライドレール４５、前記後方第２スライドレール４０、前記前方第１スライドレール４３及び前記後方第１スライドレール３８は、それぞれボールプランジャを備えており、ある程度の力を加えないとそれらの可動側レールは固定側レールに沿って移動しないが、またレール内部に複数のボールが使用されており、これらの複数のボールで荷重を受けるため荷重が分散されて、逆に移動し始めると軽い力でもスムーズに固定側レールに沿って可動側レールが移動できる。
【００３７】
そして、前記第１スライダー５１上面には弾力性があるクッション５３が着脱自在に装着されるか固定され、このクッション５３と前記第１スライダー５１とで座部５２が構成される。前記クッション５３は発泡スチレン製やフェルト製等のマットを柔らかい合成樹脂製や合成皮革等のカバーで覆って、座席シートとして構成される。前記クッション５３と前記第１スライダー５１の大きさ、広さは同じ大きさであるが、この座部５２（前記第１スライダー５１）の前後の長さは前記アームレスト５の前記アームレストフレーム５Ｂを構成する前後の縦杆５Ｂ２と５Ｂ１との間の長さより短い。
【００３８】
なお、前記第２スライダー５０及び前記第１スライダー５１は、滑りが良好な硬質の合成樹脂で構成するが、木材で構成してもよい。なお、本実施形態においては、少なくとも前記第２スライダー５０の上面及び前記第１スライダー５１の下面には、滑りが良好な（摩擦抵抗が小さい。）、例えばシリコン樹脂製のシート(図示せず)を貼付する。なお、前記第２スライダー５０の上面及び前記第１スライダー５１の下面は滑りが良好であることが望ましく、滑りが良好なスラダー自体の材質やその表層の材質などは、種々のものが採用され得る。
【００３９】
また、前記第１スライダー５１は前記第２スライダー５０の上方に僅かの隙間、例えば１ｍｍ程度の隙間を存して配置する。しかし、必ずしも隙間を設ける必要もなく、この隙間を無くした場合には、前記第１スライダー５１及び前記第２スライダー５０で被介護者の体重を支えることになるが、前記第１スライダー５１又は前記第２スライダー５０を引き出す際の摩擦抵抗は小さく、引き出し作業の負担は小さい。更には、前記第１スライダー５１のみで被介護者の体重を支えることができるならば、隙間を大きくして前記座部５２に被介護者が座っても前記第１スライダー５１が前記第２スライダー５０に接触しないようにしてもよい。
【００４０】
以上の構成により、前記ベッドＢＤへ被介護者を載せ替える作業について、以下説明する。先ず、介護者又は被介護者は前記ハンドル１３又は前記手動輪１７を回転させることにより、前記車椅子１を移動させて前記ベッドＢＤに沿わせる（図３参照）。
【００４１】
そして、前記車椅子１の前記座部５２の高さレベルに合わせて、前記ベッドＢＤの高さレベルを調節する。即ち、前記第２スライダー５０の下面レベルが前記ベッドＢＤの寝床の上面高さレベルより僅か上方位置となるように、即ち前記第２スライダー５０を引き出した際に第２スライダー５０が前記ベッドＢＤの前記寝床を擦らないか、擦っても僅かですむような程度となるように、前記ベッドＢＤの高さレベルを調節する。本実施形態では、被介護者の右手側から前記ベッドＢＤへ載せ替える場合、即ち前記車椅子１を正面から見ると左方向にある前記ベッドＢＤへ載せ替える作業について説明し、左手側からも載せ替えることができるが、その説明は省略する。
【００４２】
次に、被介護者の右手側の前記アームレスト５に係る前記ロック機構４を解除する。即ち、右手側の前記アームレスト５に係る前記抜け止めピン９を前記嵌入孔７Ｃから抜くと、前記大径溝７Ａ及び前記小径溝７Ｂから前記前方の縦杆５Ｂ２の前記大径部５Ｂ２２及び前記小径部５Ｂ２１が外れるので、前記ロック機構４が解除される。
【００４３】
従って、右手側の前記アームレスト５の前方の縦杆５Ｂ２は移動が可能となるので、後方の縦杆５Ｂ１を支点として前記アームレストフレーム５Ｂを時計方向に搖動させると（図７参照。）、右手側の前記アームレスト５が被介護者の前記ベッドＢＤへの載せ替え作業の障害とはならず、邪魔にはならない。但し、介護者の左手側の前記アームレスト５も載せ替え作業の障害になる場合には、同様に左手側の前記アームレスト５に係る前記ロック機構４を解除し、搖動させればよい。
【００４４】
次に、図６を参照しながら、介護者が被介護者の前記足載せ部２１を使用位置から略水平位置へと移動させる動作について説明する。即ち、先ず記操作摘み２６を掴んで前記車椅子１の後方から見て時計方向又は反時計方向に９０度回転させると、前記回転体２５が前記支軸２７を支点としてこの支軸２７と共に同様に時計方向又は反時計方向に９０度回転するため、前記ウォームギア２８も同様に時計方向又は反時計方向に９０度回転することとなる。
【００４５】
このため、このウォームギア２８と噛み合っている前記ウォームホイール２９は前記車椅子１の右側面から見て反時計方向又は時計方向に９０度回転するので、前記第１リンク体３０が前記第１支軸２９Ａと共に反時計方向又は時計方向に９０度搖動し、前記第１リンク体３０が実線で示す位置からＷＡ又はＷＢの位置へと移動する。このため、前記第２支軸３１を支点として前記第２リンク体３２が実線で示す位置からＸＡ又はＸＢの位置へと搖動し、前記第２リンク体３２に前記第３支軸３３を介して連結した前記第３リンク体３４は実線で示す位置からＹＡの位置へと搖動すると共に前記第３リンク体３４に前記横杆３Ａを介して連結した前記連結フレーム２１Ｄが実線で示す位置からＺＡの位置へと搖動する。
【００４６】
そして、更に前記操作摘み２６を９０度回転させて元の位置から１８０度時計方向又は反時計方向に回転させると、前記第１リンク体３０がＷＣの位置となる。このため、前記第１リンク体３０及び前記第２リンク体３２は直立した状態となるよう搖動し、前記第３リンク体３４は実線で示す位置からＹＣの位置へと搖動すると共に前記連結フレーム２１Ｄは同じくＺＣの位置へと搖動する。
【００４７】
従って、前記足載せ部２１が使用位置から略水平位置へと移動することになって、被介護者は膝を伸ばすことができる。このため、被介護者をベッドＢＤへ載せ替える準備作業が完了する。
【００４８】
次に、被介護者が前記座部５２の前記クッション５３に座ったままの状態で、介護者は前記第２スライダー５０の前記手掛け部に下方から手を掛けて、前記前方第２スライドレール４５、前記後方第２スライドレール４０の前記固定側レール４５Ａ、４０Ａに沿ってそれらの前記可動側レール４５Ｂ、４０Ｂを前記ベッドＢＤ方向（正面から見て、左方向）へ移動させることにより、初めに前記第２スライダー５０のみを前記ベッドＢＤ上へ引き出して前進限又はその手前の任意の位置まで移動させる(図７及び図８参照。)。
【００４９】
次いで、被介護者が前記座部５２の前記クッション５３に座った状態のまま、前記座部５２（前記クッション５３と前記第１スライダー５１）を掴んで正面から見て前記ベッドＢＤ方向の左方へ引き出して、前記前方第１スライドレール４３、前記後方第１スライドレール３８の前記固定側レール４３Ｂ、３８Ｂに沿って、それらの可動側レール４３Ａ、３８Ａを前記ベッドＢＤ方向へ移動させることにより、前記座部５２を前記ベッドＢＤ上へ前進限又はその手前の任意の位置まで移動させる。この場合、介護者は前記座部５２を掴んで移動させるだけではなく、或いは掴まずに、ときに被介護者の身体を引きながら又は押しながら移動させる。
【００５０】
なお、被介護者が前記座部５２に座っていない場合には、前記第１スライダー５１と前記第２スライダー５０との隙間は１ｍｍ程度あったが、座ることにより、被介護者の体重により前記座部５２の、特に中央部が僅か沈んで前記第１スライダー５１の下面が前記第２スライダー５０の上面に接触しても、両者は滑りが良好で摩擦抵抗も小さいので、前記第２スライダー５０のみの引き出し移動の際にさほどの抵抗もなく移動でき、また前記第２スライダー５０のみの引き出しの後の前記第１スライダー５１（前記座部５２）の引き出しの際にもさほどの抵抗もなく、前記第１スライダー５１を備えた前記座部５２が前記第２スライダー５０に支承されて案内されながら、前記座部５２は移動できる。このため、前記座部５２の前記クッション５３に被介護者が座ったままで前記ベッドＢＤ上に移動して前記車椅子１の車体から離れても、前記第１スライダー５１が前記座部５２（前記第２スライダー５０）を支承するため、この車椅子１が転倒するのが防止でき、安全性を確保できる。
【００５１】
従って、介護者は被介護者を右向き（右手を下にする方向）に寝かせるようにして、又は被看護者が自分自身で右向きに寝るようにして、更には必要な場合には前記第１スライダー５１及び前記第２スライダー５０を元に位置へと戻すことにより又は戻しながら前記座部５２から前記ベッドＢＤ上に載せ替えることができる。
【００５２】
この場合、前記座部５２の横幅は前記ベッドＢＤの横幅より短いので、前記座部５２はその左端部が前記ベッドＢＤの横幅方向の長さの半分程度まで引き出しても、或いは前記座部５２の左右方向の半分程度が前記ベッドＢＤ上に位置するまで引き出しても、問題が無く前記ベッドＢＤへの載せ替えができるが、必要に応じて前記座部５２の引き出す距離を選択することができる。
【００５３】
以上のように、前記ベッドＢＤへの載せ替え作業を行えばよく、載せ替える作業の介護者の負担を軽減することができると共に、その載せ替え作業に要する煩わしい段取りも簡単であって、実用的な車椅子を提供することができる。
【００５４】
次いで、被介護者を前記座部５２から前記ベッドＢＤ上に載せ替えた後に、介護者は前記座部５２及び前記第２スライダー５０を元の位置に移動させ、更には前述した前記操作摘み２６を掴んで回転させて前記足載せ部２１を元の位置に戻し、前記ベッドＢＤから前記車椅子１を離すように移動させる。
【００５５】
なお、上述した実施形態にあっては、前記足載せ部２１が下降している使用位置と略水平位置との間で移動させるための移動機構２４は手動で操作させる構造であったが、図１１に示すように、自動で移動させる構造でもよく、以下説明する。
【００５６】
前記補助フレーム１８の上部に固定された断面形状がＴ字形状の取付け台５５にバッテリ５６及びギアモータ５７を取付け、このギアモータ５７の出力軸を前記ウォームギア２８の前記支軸２７と連結する。
【００５７】
従って、図示しないスイッチを操作することにより、前記ギアモータ５７を駆動させて所定回転させると、先の手動による実施形態で説明したように、同様に前記第１リンク体３０、前記第２リンク体３２及び前記第３リンク体３４が搖動する。このため、前記足載せ部２１が使用位置から略水平位置へと移動することになって、被介護者は膝を伸ばすことができる。このため、被介護者をベッドＢＤへ載せ替える準備作業が完了する。以下の動作については、先の実施形態と同様な動作であり、省略する。
【００５８】
なお、上述した実施形態にあっては、前記足載せ部２１は被介護者が両足を載せて支持するものであったが、それぞれ片足を載せて支持するような構造の左右２つの足載せ部としてもよい。このように片足を載せるような２つの足載せ部とした場合には、各足載せ部本体及び各連結フレームを回動可能として両足載せ部本体同士の間隔を広げるように直立させることにより、介護者の足が両足載せ部本体同士の間に入り込めて載せ替え作業が容易となる。このような２つの足載せ部とした場合でも、前記横杆３Ａを回動させる移動機構２４は１つで足りる。
【００５９】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００６０】
１          車椅子
２          第１フレーム
３          第２フレーム
３Ａ        横杆（第４支軸）
５          アームレスト
２１        足載せ部
２４        移動機構
２８        ウォームギア
２９        ウォームホイール
２９Ａ      第１支軸
３０        第１リンク体
３１        第２支軸
３２        第２リンク体
３３        第３支軸
３４        第３リンク体
３８        後方第１スライドレール
４０        後方第２スライドレール
４３        前方第１スライドレール
４５        前方第２スライドレール
５０        第２スライダー
５１        第１スライダー
５２        座部
５７        ギアモータ
ＢＤ        ベッド
【図１】
2020168216.tif 000003
【図２】
2020168216.tif 000004
【図３】
2020168216.tif 000005
【図４】
2020168216.tif 000006
【図５】
2020168216.tif 000007
【図６】
2020168216.tif 000008
【図７】
2020168216.tif 000009
【図８】
2020168216.tif 000010
【図９】
2020168216.tif 000011
【図１０】
2020168216.tif 000012
【図１１】
2020168216.tif 000013